(57)【要約】【課題】  シート給送ユニットを積み重ねて設置した場合の識別表示を自動的に切り換える段数表示機構において識別表示を正確に表示する。【解決手段】  シート給送ユニット１１〜１４を積み重ねたときに、それぞれに設けられた入力部材１２４が移動して入力ラック部１２５に噛み合っている表示ギヤ部１２２により段数表示部１２１が回転して、適正な段数表示が行われる。位置決めリブ１４３に設けられている凹部１４３ａに位置決めピン１４０が係合することにより、段数表示部１２１が位置固定されて適正に表示が行われる。【選択図】  図６
2006282378.tif 000002
【特許請求の範囲】
【請求項１】
複数の表示部を有する識別表示部を備える構造物が多段に重ねられたときに順次異なる表示をするように、前記構造物を重ねた時に入力部材が移動して前記識別表示部を移動させる移動機構を備える多段識別表示装置において、
前記移動機構により前記識別表示部が移動した際に前記表示の位置決めする位置決め機構を備えることを特徴とする多段識別表示装置。
【請求項２】
前記識別表示部は前記入力部材の移動により回転して前記表示を変更することを特徴とする請求項１に記載の多段識別表示装置。
【請求項３】
前記位置決め機構は、前記識別表示部又は装置の固定部のいずれか一方に保持され、バネ付勢される位置決め部材と、前記識別表示部又は前記固定部の他方で、前記表示位置に対応する位置に設けられ、前記位置決め部材と係合する受け部と、を有することを特徴とする請求項１又は請求項２に記載の多段識別表示装置。
【請求項４】
前記移動機構が、前記識別表示部の前記入力部材の移動量に対して前記識別表示部の移動量を増幅することを特徴とする請求項１乃至請求項３のいずれか１項に記載の多段識別表示装置。
【請求項５】
記録材を収納する収納部と、記録材を供給するための給送機構とをそれぞれ備え、他段に重ねられるシート給送ユニットを有し、
前記シート給送ユニットに、段数を表示するための複数の表示を有する識別表示部を備え、前記シート給送ユニットが重ねられたときに前記識別表示部が順次異なった表示をするように、前記シート給送ユニットを重ねた時に入力部材が移動して前記段数表示部を移動させる移動機構を備え、
前記移動機構により前記識別表示部が移動した際に前記表示を位置決めする位置決め機構を備えることを特徴とするシート給送装置。
【請求項６】
前記識別表示部は前記入力部材の移動により回転して前記表示を変更することを特徴とする請求項５に記載のシート給送装置。
【請求項７】
前記位置決め機構は、前記識別表示部又は装置の固定部のいずれか一方に保持され、バネ付勢された位置決め部材と、前記識別表示部又は前記固定部の他方で、前記表示位置に対応する位置に設けられ、前記位置決め部材と係合する受け部と、を有することを特徴とする請求項５又は請求項６に記載のシート給送装置。
【請求項８】
前記移動機構が、前記識別表示部の前記入力部材の移動量に対して前記識別表示部の移動量を増幅することを特徴とする請求項５乃至請求項７のいずれか１項に記載のシート給送装置。
【請求項９】
前記移動機構の駆動伝達系に遊びがあり、前記位置決め機構が位置決め作用する箇所にある場合には、前記移動機構よりも前記位置決め機構の方が前記識別表示部の位置決めに対して優先して作用することを特徴とする請求項５乃至請求項８のいずれか１項に記載のシート給送装置。
【請求項１０】
請求項５乃至請求項９のいずれか１項に記載のシート給送装置と、
前記シート給送装置から送り出されてくるシートに画像を形成する画像形成部と、
を備えたことを特徴とする画像形成装置。
【発明の詳細な説明】
【技術分野】
【０００１】
本発明は多段に重ねることができる構造物の識別表示装置及びこの装置を用いたシート給送装置及び画像形成装置に関するものである。
【背景技術】
【０００２】
画像形成装置には、微小粉末からなる現像剤を静電的に制御吸着する電子写真技術を利用するものや、インク吹き付けやオフセット印刷などを利用して、画像形成を行なうものがある。
【０００３】
例えば前者では、像担持体である感光ドラムや感光ベルト上の表面に静電潜像を形成し、像担持体上の静電潜像を現像剤であるトナー等によって現像して可視像化する。現像された画像を転写装置により記録材上に転写して画像を担持させ、圧力や熱等を用いる定着装置によって記録材上のトナー画像を記録材上に定着させる。これら各工程を順次行なうことによって画像を形成している。この技術をさらに応用して、複数色の画像（いわゆるカラー画像）を得るためには、複数の色の現像剤を使用することによって可能である。原理的にイエロー・マゼンタ・シアン色の現像剤を用いれば、混色によってフルカラーの画像を得ることができる（場合によって、前記三種類に加えてブラック色の現像剤を用いる）。
【０００４】
また後者のインク・顔料を利用したものでは、原稿（実体または画像データを問わず）に即した場所にインク・顔料を記録材に対して塗布することによって、画像が得られる。インク吹き付けには、インクの入った微小ノズルに物理的圧縮を加えて、またはノズル内に気泡生成・消滅を繰り返し、インクを噴射させる。オフセット印刷では版下に合わせてインクを塗布して記録材にインクを転写する。いずれの方式でもイエロー・マゼンタ・シアン（ブラックや他の色も適宜加えて）のインク・顔料を利用することによってフルカラー画像を得ることができる。
【０００５】
画像形成装置の記録材には、いわゆる普通コピー用紙、プロジェクター用透明フィルム（ＯＨＴシート）や高画質画像を得るための白色フィルム（グロスフィルム）など多数ある。また、記録材のサイズにはＡ４・Ａ３など標準的なものから、ハガキ・封筒など、使用者によっては不定型な大きさの記録材を用いる場合がある。さらに、普通紙にも厚さがいろいろあり、例えば坪量６０ｇ／ｍ２のものあれば２００ｇ／ｍ２のものあるなど、多種多様である。
【０００６】
使用する記録材の質・サイズなどの種類に対して画像形成装置の記録材収納部が少ない場合は、印刷する前に使用者がいちいち記録材を交換しなければならない必要性が出てくる。この手間を省くために、記録材収納部を持ち、着脱可能なシート給送装置をいくつか備えておく方法がある。さらに使用者の記録材種の使用頻度によって、この着脱可能なシート給送装置を１つだけ備える使用者もいれば、４つ、５つなど多段で備える使用者もいる。
【０００７】
従来、このような多段に重ねあわせ可能なシート給送装置には、記録材収納部ごとに異なる番号などを付けている。これは使用者に対して、どの収納部にどの種類の記録材を入れているか、または印刷前にどの収納部から記録材を供給すればいいか、を知らせることができる。例えばコンピュータなどからその段表示番号を指定する時などに便利である。この段数表示部の番号を切り換えるのは、従来、使用者自身がナンバープレートなどを差し込みなおしたりしており、煩わしさがあった。
【０００８】
そこで、シート給送装置を着脱する際に段数表示部（識別表示部）が自動的に変わるものがあった（例えば，特許文献１参照）。
【特許文献１】特開２００５−４１６１５号公報
【発明の開示】
【発明が解決しようとする課題】
【０００９】
しかしながら、従来の表示機構では、表示の窓枠開口に対して、数字などの表示記号を正確に位置することができなくて、文字ずれなど起こっていた。そのため、表示記号が窓枠開口からずれて見えなくなることがあり、使用者への視認性を損なうことがあった。
【００１０】
本発明は、このような課題に鑑みてなされたもので、本発明は表示記号を正確に視認できるようにすることを目的とする。
【課題を解決するための手段】
【００１１】
本発明は、複数の表示部を有する識別表示部を備える構造物が多段に重ねられたときに順次異なる表示をするように、前記構造物を重ねた時に入力部材が移動して前記識別表示部を移動させる移動機構を備える多段識別表示装置において、前記移動機構により前記識別表示部が移動した際に前記表示の位置決めする位置決め機構を備えることを特徴とする。
【発明の効果】
【００１２】
以上説明したように、本発明によれば、使用者が多段に設置された構造物の表示部をわざわざ切り換えることをせずに、それらを設置するだけでそれぞれ相異なる番号、記号、文字などを表示することができる。そして、表示の位置決め機構を設けることにより、表示の位置ずれを小さくすることができ、使用者に対する視認性を高めることができる。
【発明を実施するための最良の形態】
【００１３】
以下、本発明の実施の形態を添付図面にもとづいて説明する。
【００１４】
本発明に係る実施の形態画像形成装置の概略構成を図１に示す。尚、本実施の形態では、画像形成装置は、電子写真方式を利用したカラー画像形成装置Ａであり、４色フルカラー画像を形成できるレーザビームプリンタである。そして、現像剤（例えば、トナー）で可視像化された画像を熱等によって記録材記録材に定着させる画像形成工程を経て画像形成を行なう。
【００１５】
カラー画像形成装置Ａは、形成する色（イエロー、マゼンタ、シアン、ブラック）毎に、第１の像担持体としてドラム型の電子写真感光体である、感光ドラム１Ｙ、１Ｍ、１Ｃ、１ＢＫをそれぞれ備えている。尚、それぞれの感光ドラム１Ｙ、１Ｍ、１Ｃ、１ＢＫは駆動手段（図示せず）によって、例えば図１では反時計周りに回転駆動されるようになっている。
【００１６】
感光ドラム１の回転方向に沿ってその周囲に、画像形成手段として、帯電工程にて感光ドラム１Ｙ、１Ｍ、１Ｃ、１ＢＫの表面を均一に帯電させる帯電手段である帯電装置２Ｙ、２Ｍ、２Ｃ、２ＢＫ、潜像形成工程（露光工程）にて画像情報に基づいて光源（例えば、レーザ光やＬＥＤ光）を点滅させ、感光ドラム１Ｙ、１Ｍ、１Ｃ、１ＢＫ上に静電潜像を形成する潜像形成手段（露光手段）である露光装置３Ｙ、３Ｍ、３Ｃ、３ＢＫ、現像工程にて感光ドラム１Ｙ、１Ｍ、１Ｃ、１ＢＫ上の静電潜像に現像剤であるトナーを付着させて可視像化（現像）して現像剤像（トナー像）を形成する現像手段である現像装置４Ｙ、４Ｍ、４Ｃ、４ＢＫ、転写工程にて感光ドラム１Ｙ、１Ｍ、１Ｃ、１ＢＫ上のトナー像が転写される第二の像担持体としての中間転写ベルト５ａを含む中間転写部（中間転写ユニット）５等が設置されている。そして、この中間転写ユニット５を構成する中間転写ベルト５ａは時計回りに回転する。
【００１７】
ここで、感光ドラム１Ｙ、１Ｍ、１Ｃ、１ＢＫと帯電装置２Ｙ、２Ｍ、２Ｃ、２ＢＫと現像装置４Ｙ、４Ｍ、４Ｃ、４ＢＫは、それぞれの色毎に一体化されて画像形成部を構成している。そして、この画像形成部は、中間転写ユニット５に対して、鉛直方向で並列に固定配置されている。感光ドラム１Ｙ、１Ｍ、１Ｃ、１ＢＫ上の静電潜像を現像する現像装置４Ｙ、４Ｍ、４Ｃ、４ＢＫは、それぞれの色毎にトナーを収容する現像剤収容部４１を有している。各現像剤収容部４１には、表面に現像剤であるトナーを担持するとともに、感光ドラム１Ｙ、１Ｍ、１Ｃ、１ＢＫと対向し、現像剤収容部４１から感光ドラム１へとトナーを移動させる現像剤担持体である現像剤担持ローラ４２が設けられており、現像剤担持ローラ４２により感光ドラム１Ｙ、１Ｍ、１Ｃ、１ＢＫ上の静電潜像を現像できるようになっている。
【００１８】
各色の感光ドラム１Ｙ、１Ｍ、１Ｃ、１ＢＫ上のトナー像を、対向した中間転写ベルト５ａに各色順次転写、重ね合わせることにより、中間転写ベルト５ａ上に静電吸着されたひとつのフルカラートナー像が形成される。尚、感光ドラム１Ｙ、１Ｍ、１Ｃ、１ＢＫから中間転写ベルト５ａにトナーを転写させるために、各感光ドラム１Ｙ、１Ｍ、１Ｃ、１ＢＫに対向させて電気バイアスを発生させる転写手段５ｄＹ、５ｄＭ、５ｄＣ、５ｄＢＫを、ベルトである中間転写ベルト５ａを挟んで感光ドラム１Ｙ、１Ｍ、１Ｃ、１ＢＫの反対側に設けている。
【００１９】
中間転写体５ａ上にひとつのトナー像を形成した後、中間転写ベルト５ａはトナー像を担持し、記録材記録材Ｐへの転写部Ｅまで更に回転する。一方、記録材収納箱（給紙カセット）６内の記録材Ｐは、搬送装置７によって所定のタイミングで転写場所Ｅへ供給される。この転写場所Ｅには、転写転写ベルト５ａに対して電気バイアスを発生させる転写手段５ｅを、記録材Ｐを挟んで中間転写ベルト５ａの反対側に設けている。
【００２０】
このように静電吸着力を利用して、トナー像を記録材Ｐに転写させる。更に、定着工程にて記録材Ｐへトナー像を固定化させるために、記録材Ｐは定着手段である定着装置８へと搬送される。定着装置８では熱・圧力などを利用して、記録材Ｐ上のトナーを溶融・定着させる。
【００２１】
定着装置８を通過した記録材Ｐは搬送ユニット９により、排紙トレイ１０に排出される。尚、記録材Ｐは定着装置８〜排紙トレイ１０まで底面から上面へと曲線である搬送経路２０に沿って搬送される。
【００２２】
記録材（または転写材）には、いわゆる普通コピー用紙、プロジェクター用透明フィルム（ＯＨＴシート）や高画質画像を得るための白色フィルム（グロスフィルム）など多数ある。サイズもＡ４・Ａ３などのＡ判系列やＢ判系列、Ｌｅｔｔｅｒ、Ｌｅｇａｌ、ハガキ・封筒など多様である。さらに普通紙にも厚さがいろいろあり、例えば坪量６０ｇ／ｍ２のものあれば２００ｇ／ｍ２のものある。
【００２３】
例えばこれらの記録材に対して、画像形成装置のための収納部が一ヶ所しかない場合、前のジョブと異なる記録材を使用するには、収納する記録材を使用者が交換しなければならない。
【００２４】
この手間を省くために、記録材収納部および給送部を持つシート給送ユニットを別途装着しておく方法がある。使用者の用途によっては、１台の画像形成装置に対して、シート給送ユニットを複数段備える場合がある。
【００２５】
図２に本発明の概略設置図を示す。
【００２６】
フルカラー画像形成装置Ａの下にはシート給送装置Ｂとして４台のシート給送ユニット１１、１２、１３、１４を設置している。シート給送ユニット１１、１２、１３、１４は着脱可能で、選択的にその設置台数を変えることができる。シート給送ユニット１１、１２、１３、１４にはそれぞれ記録材収納部６２、６３、６４、６５があり、この記録材収納部６２、６３、６４、６５には記録材のいろいろな種類やサイズに対応して、収納することが可能である。使用者が複数の記録材収納部６２、６３、６４、６５や画像形成装置Ａの記録材収納部６それぞれに対して相異なる種類・サイズの記録材を入れてもよいのである。また、このシート給送装置Ｂでは、４段のシート給送ユニットで説明しているが、このシート給送ユニットは使用者の要望に応じて数を増減したり、重ねる順番を代えることができる。
【００２７】
シート給送ユニット１１、１２、１３、１４では、記録材が支持台（中板）６７、６８、６９、７０に支持され、ピックアップローラ７２、７３、７４、７５や搬送手段により搬送経路に沿って画像形成装置Ａに選択的に供給される。
【００２８】
本発明にかかるシート給送ユニット１１、１２、１３、１４を図３に示す。このシート給送ユニット１１、１２、１３、１４は同一構造であり、積み重ねる順番も任意に設定することができる。
【００２９】
シート給送ユニット１１、１２、１３、１４には記録材収納部６２、６３、６４、６５を備えており、いろいろな種類やサイズの記録材を収納することができる。また、給送手段７６、７７も備えており、給送口から画像形成装置の方へ記録材を供給する。シート給送ユニットの上下に設置される画像形成装置や他のシート給送ユニットとの電気信号を受け渡しするため、コネクタ７９を備えている場合もある。
【００３０】
この着脱可能なシート給送ユニットを装着する際に、どの種類の記録材を入れたか使用者にわかるように、段数を使用者に認識させる番号１、２・・・（もしくは記号Ａ，Ｂ・・・）を表示する必要がある。さらに、この番号は機能上、シート給送ユニットごとに相異なる必要がある。そのため、段数表示部１２１を備えており、カバー１２７の開口から、その段数を明示している。図３の場合は、“１”という番号を表示している。
【００３１】
本発明の実施の形態を図４に示す。図４は、回動可能に設けられた段数表示部（識別表示部）１２１と、それを切り換えるための入力部材１２４の斜視図を示している。
【００３２】
また、段数表示部１２１の円弧の表面上に識別のための番号や記号等の表示を付けておく。例えば、図４では“１  ２  ３  ４”の表示が付けられている。シート給送ユニットを設置した時に生じる入力部材１２４の移動量（入力変位量）に応じて段数表示部１２１の回転量が決まりって番号表示が変わる。
【００３３】
図５にシート給送ユニット内での段数表示機構の断面図を示す。シート給送ユニットを重ねていく方向と同じ方向に入力部材１２４が移動していくようにし、シート給送ユニットの縦幅よりも入力部材１２４を長くしておく。図５では、カバー１２７より上方へ入力部材の出っ張った部分が、そのシート給送ユニットの上に設置された画像形成装置や他のシート給送ユニットによって変位させられる。入力部材１２４はスライド支持されており、カバー１２７の上開口１２９と下開口１３０を通して画像形成装置や他のシート給送ユニットの入力部材１２４が干渉し、当該シート給送ユニットの入力部材１２４が移動させられる。入力部材１２４の長さによってシート給送ユニット一段分の入力変位量が決まり、シート給送ユニットを二段重ねた時は入力変位量も２倍になる。
【００３４】
入力部材の動き（直線移動）を段数表示部の動き（回転移動）に変換伝達する方法として、例えば、入力部材に入力ラック部１２５を、段数表示部１２１に表示ギヤ部１２２を形成しておく。段数表示部１２１の一部である表示ギヤ部１２２（円１２３はギヤのピッチ円を示す）が、入力部材１２４の一部である入力ラック部１２５（直線１２６は仮想ピッチ直線を示す）が噛み合っている。そうすれば入力変位量に対して滑ることなく確実に動きが伝達されるのである。
【００３５】
実施の形態の動作を図６から図９を用いて説明する。
【００３６】
図６（ａ）、図７（ａ）、図８（ａ）、図９（ａ）はシート給送ユニットの正面図の一部を、図６（ｂ）、図７（ｂ）、図８（ｂ）、図９（ｂ）は段数表示機構の断面図を示す。図６（ａ）のように１段目のシート給送ユニットはカバーの開口１２８を通して“１”を表示しており、それに対応する段数表示部１２１、入力ラック部１２５の位置は図６（ｂ）に示すとおおりである。シート給送ユニットの段数が増えていくにつれて入力部材１２４がスライド移動していき、段数表示部１２１を回転させて、そのシート給送ユニットに対応した段数、例えば、図７乃至図９に示すように、“２”、“３”、“４”と表示していく。開口１２８以外でカバー１２７によって隠れている段数表示部の外形１２１ａは点線で示している。
【００３７】
また、回転部の直径を大きくすれば、入力変位量に対して段数表示部１２１の回転移動量が大きくなる。すなわち、多段に対応するために一段あたりの入力ラック部１２５の変位量を小さく設定しても段数表示部１２１の回転移動量を増幅して適正は位置で表示をすることができ、入力ラック部１２５の長大化、しいてはシート給送ユニットの縦幅の肥大化を防ぐことができる。
【００３８】
さらに、使用者が表示部を見るための開口１２８に対して番号表示の位置ずれを小さくするために、表示部の位置決め機構を設ける。前述するような回転増幅を利用した移動機構で正確に位置決めするには個々の部品精度を上げなければならない。また、ギヤ１２２と入力ラック部１２５を利用した機構ではバックラッシをとらなければ、回転そのものによる表示のずれの不具合が生じる恐れがある。
【００３９】
この問題を解決するために、移動機構の影響を受けないような段数表示部１２１の位置決め機構を設ける。例えば、ギヤのバックラッシによる遊び（ガタ）がある状態で、位置決め機構が動作するようにする。
【００４０】
段数表示部１２１には、位置決め部材である位置決めピン１４０がスライダ部１４２によってスライド保持されている。スライド部１４２は段数表示部１２１と一体化している。そして、圧縮バネ１４１が段数表示部１２１と位置決めピン１４０の間で作用しており、スライド保持されている位置決めピン１４０を常に付勢している。装置の固定部に取り付けられている位置決めリブ１４３は段数表示の開口１２８と位置関係が決められており、また位置決めリブ１４３には段数表示に合わせて位置決めピン１４０が係合する受け部としての凹部１４３ａが設けられている。この例の場合、４つの表示に切り換えられるので、４つの凹部１４３ａがある。図６から図９に示すように、表示“１”、“２”、“３”、“４”に対応して位置決め機構の位置決めピン１４０が位置決めリブ１４３のそれぞれの凹部１４３ａに嵌まり込んでいる。
【００４１】
位置決めピン１４０は位置決めリブ側へ圧縮バネ１４１で付勢されており、凹部１４３ａに入り込んで係合したときのバネ力によって、バックラッシュ等の遊びがあったとしても段数表示部１２１にガタが生じないように優先して位置決め機構が作用するため正規の位置に保持される。また、バネによる付勢なので、段数がすすんで表示が切り換わる力が働くと、位置決めピン１４０は位置決めリブ１４３に押されてスライドし、表示部からずれた中立エリア（凹部１４３ａの間）では位置決めピン１４０の先端が位置決めリブ１４３に接触しながらスライドする。そのため、段数表示部１２１の回転を位置決めピン１４０が阻害するようなことはない。
【００４２】
以上説明したように、本実施の形態では、多種多様な記録材を収納するために、一種類の記録材を収納できるシート給送ユニットを多段に設置する場合があり、この場合、どの段にどの記録材があるかを使用者が識別するために、シート給送ユニットの外側に識別表示部を持っていて、画像形成装置や着脱可能なシート給送ユニットの設置時などにシート給送ユニットの表示部を使用者が切り換える必要がない。すなわち、使用者にとっては装置などを置く動作だけで自動的に表示部が切り換わるため、操作性が極めてよい。
【００４３】
また、回転式の段数表示部を用いることにより、シート給送ユニット内で切り換え機構に必要なスペースに対しても利点がある。例えば、鉛直方向に数字等が並んだ段数表示部を切り換えのためにスライド移動させる機構では、表示文字分のスライド量が必要となる。これに対して回転式の表示部では回転直径分の大きさでよく、円弧部に数字を表記すればよいのである。段数表示部が占めるシート給送ユニット内のスペース効率を高めることができる。
【図面の簡単な説明】
【００４４】
【図１】本発明の実施の形態に係るシート給送装置が装着される画像形成装置の装置本体の断面図である。
【図２】本発明の実施の形態に係るシート給送ユニットと図１の装置本体とが組み付けられた状態の概略図である。
【図３】図２に示すシート給送ユニットの斜視図である。
【図４】図３に示すシート給送ユニットの段数表示機構の斜視図である。
【図５】図４に示す段数表示機構がシート給送装置に装着された状態での要部断面図である。
【図６】本発明の実施の形態に係るシート給送ユニットの段数表示機構の動きを示す正面図及び断面図である。
【図７】本発明の実施の形態に係るシート給送ユニットの段数表示機構の動きを示す正面図及び断面図である。
【図８】本発明の実施の形態に係るシート給送ユニットの段数表示機構の動きを示す正面図及び断面図である。
【図９】本発明の実施の形態に係るシート給送ユニットの段数表示機構の動きを示す正面図及び断面図である。
【符号の説明】
【００４５】
Ａ  画像形成装置
Ｂ  シート給送装置
１  像担持体（感光ドラム）
６、６２、６３、６４、６５  記録材収納部
７  記録材供給装置
１１、１２、１３、１４  シート給送ユニット
７９  コネクタ
１２１  段数表示部
１２２  表示ギヤ部
１２４  入力部材
１２５  入力ラック部
１２８  開口
１４０  位置決めピン
１４１  圧縮バネ
１４２  スライド部
１４３  位置決めリブ
【図１】
2006282378.tif 000003
【図２】
2006282378.tif 000004
【図３】
2006282378.tif 000005
【図４】
2006282378.tif 000006
【図５】
2006282378.tif 000007
【図６】
2006282378.tif 000008
【図７】
2006282378.tif 000009
【図８】
2006282378.tif 000010
【図９】
2006282378.tif 000011